(57)【要約】【課題】貨幣処理装置の処理の実行中に表示部が表示した画面の遷移を、後から確認することができるようにする。【解決手段】貨幣処理装置１は、取引に関係する貨幣の処理を行うよう構成された処理部４１と、処理の実行中に、処理に関係する画面を順次表示するよう構成された表示部（表示操作部３１）と、取引の情報と、処理の実行中に表示部が表示した画面に関する情報とを対応付けて記憶するよう構成された記憶部５１と、記憶部が記憶している情報の中から選択された取引について、当該取引における処理の実行中に表示部が表示した画面の遷移を、画面に関する情報に基づき、表示部に動画として表示するよう構成された再生部４３と、を備えている。【選択図】図２
2018036858.tif 000002
【特許請求の範囲】
【請求項１】
取引に関係する貨幣の処理を行うよう構成された処理部と、
前記処理の実行中に、前記処理に関係する画面を順次表示するよう構成された表示部と、
前記取引の情報と、前記処理の実行中に前記表示部が表示した前記画面に関する情報とを対応付けて記憶するよう構成された記憶部と、
前記記憶部が記憶している情報の中から選択された取引について、当該取引における前記処理の実行中に前記表示部が表示した前記画面の遷移を、前記画面に関する情報に基づき、前記表示部に動画として表示するよう構成された再生部と、を備えている貨幣処理装置。
【請求項２】
前記記憶部は、正常に処理が終了した取引の情報、異常の発生によって処理が終了した取引の情報、及び、キャンセル操作が行われることによって処理を中止した取引の情報のそれぞれを、前記画面に関する情報と対応付けて記憶する請求項１に記載の貨幣処理装置。
【請求項３】
前記記憶部が記憶している情報の中から、検索条件に基づいて取引の情報を検索するよう構成された検索部をさらに備えている請求項１又は２に記載の貨幣処理装置。
【請求項４】
前記取引の情報は、前記取引を行った日時情報、前記取引の種別情報、前記取引の金額情報、及び、前記取引において操作を行ったユーザー情報の少なくとも一つを含み、
前記検索部は、前記情報の少なくとも一つを前記検索条件として検索を行う請求項３に記載の貨幣処理装置。
【請求項５】
前記再生部は、前記動画の再生時に、早送り、巻き戻し、及び、一時停止のうちの少なくとも一つの機能を提供する請求項１〜４のいずれか１項に記載の貨幣処理装置。
【請求項６】
前記記憶部は、記憶している情報の中から指定された取引の情報に、登録フラグを付加して記憶する請求項１〜５のいずれか１項に記載の貨幣処理装置。
【請求項７】
前記再生部は、前記記憶部から、前記登録フラグが付加されている取引の情報を抽出すると共に、抽出した前記取引における前記画面の遷移を再生する請求項６に記載の貨幣処理装置。
【請求項８】
前記貨幣処理装置の取扱説明書を前記表示部に表示するよう構成された取説提示部をさらに備え、
前記取説提示部は、前記取扱説明書の中に再生操作部を設けると共に、前記再生操作部が操作されたときには、前記登録フラグが付加されている取引における前記画面の遷移を再生する請求項６又は７に記載の貨幣処理装置。
【請求項９】
前記処理部は、前記処理の実行中に前記表示部が表示する前記画面の中に、前記画面の遷移を記録するための記録操作部を設け、
前記記憶部は、前記記録操作部が操作された取引の情報に、再確認フラグを付加して記憶する請求項１〜８のいずれか１項に記載の貨幣処理装置。
【請求項１０】
前記再生部は、前記記憶部から、前記再確認フラグが付加されている取引を抽出すると共に、抽出した前記取引における前記画面の遷移を再生する請求項９に記載の貨幣処理装置。
【請求項１１】
取引に関係する貨幣の処理を行うよう構成された貨幣処理装置の処理部と、
前記処理の実行中に、前記処理に関係する画面を順次表示するよう構成された前記貨幣処理装置の表示部と、
前記取引の情報と、前記処理の実行中に前記表示部が表示をした前記画面に関する情報とを対応付けて記憶するよう構成された記憶部と、
前記記憶部が記憶している情報の中から選択された取引について、当該取引における前記処理の実行中に前記表示部が表示した前記画面の遷移を、前記画面に関する情報に基づき、前記貨幣処理装置の前記表示部、又は、他の表示部に動画として表示するよう構成された再生部と、を備えている貨幣処理システム。
【発明の詳細な説明】
【技術分野】
【０００１】
ここに開示する技術は、貨幣処理装置及び貨幣処理システムに関する。
【背景技術】
【０００２】
特許文献１には、貨幣処理の最中に表示部が表示する画面の内容に関する指令と、指令を出力した日時とを含む画面ログ情報を記憶する貨幣処理装置が記載されている。この貨幣処理装置は、記憶している画面ログ情報に基づいて、貨幣処理の最中に表示部が表示をした画面の静止画を、コマ送りで、表示部に表示することができる。
【０００３】
また、この貨幣処理装置は、画面ログ情報に含まれる画面の内容に関する指令に基づいて、画面内の文字、数字又は記号を検索する検索部を備えている。検索部は、所望の文字、数字又は記号を含む画面を、画面ログ情報から抽出し、表示部は、抽出された画面の静止画を、順次、表示することができる。
【先行技術文献】
【特許文献】
【０００４】
【特許文献１】特開２０１４−１２３２９６号公報
【発明の概要】
【発明が解決しようとする課題】
【０００５】
貨幣処理装置の処理中に、表示部は、表示する画面を、処理の進行に伴い変化させる。特許文献１に記載された貨幣処理装置は、処理の最中に表示部が表示した画面を、静止画として表示する。画面が実時間に合わせて遷移しないため、ユーザーは、処理の進行状況を把握することが難しい。
【０００６】
また、特許文献１に記載された貨幣処理装置は、画面内の文字、数字又は記号を検索する機能しか備えておらず、処理又は取引を対象として検索を行うと共に、検索結果に含まれる処理において表示部が表示した画面を表示することはできない。
【０００７】
さらに、特許文献１には明示されていないが、画面ログ情報を記憶する処理（又は取引）は、処理が正常に終了をした取引、及び、異常（例えばエラー等）の発生によって処理を終了した取引に限られる。キャンセル操作が行われることによって処理を中止した取引の画面ログ情報は、記憶されない。例えば違算障害が発生したときに、原因追及のためにキャンセルした取引の内容も確認したい場合があるが、キャンセルした取引中に表示部が表示した画面を、後で確認することはできないため、違算の原因の検証を十分に行うことができない。
【０００８】
ここに開示する技術はかかる点に鑑みてなされたものであり、その目的とするところは、貨幣処理装置の処理の実行中に表示部が表示した画面の遷移を、後から確認することができるようにすることにある。
【課題を解決するための手段】
【０００９】
ここに開示する技術は、貨幣処理装置に関する。貨幣処理装置は、取引に関係する貨幣の処理を行うよう構成された処理部と、前記処理の実行中に、前記処理に関係する画面を順次表示するよう構成された表示部と、前記取引の情報と、前記処理の実行中に前記表示部が表示した前記画面に関する情報とを対応付けて記憶するよう構成された記憶部と、前記記憶部が記憶している情報の中から選択された取引について、当該取引における前記処理の実行中に前記表示部が表示した前記画面の遷移を、前記画面に関する情報に基づき、前記表示部に動画として表示するよう構成された再生部と、を備えている。
【００１０】
この構成によると、貨幣処理装置の記憶部は、取引の情報と、処理の実行中に表示部が表示した画面に関する情報とを対応付けて記憶する。再生部は、例えばユーザーが選択をした取引について、画面の遷移を、表示部に動画として表示する。これによりユーザーは、当該取引における処理の実行中に表示された、処理の進行に伴って変化する画面の遷移を確認することができる。画面が遷移する動画が表示されるため、ユーザーは、処理の進行状況を把握し易い。
【００１１】
前記記憶部は、正常に処理が終了した取引の情報、異常の発生によって処理が終了した取引の情報、及び、キャンセル操作が行われることによって処理を中止した取引の情報のそれぞれを、前記画面に関する情報と対応付けて記憶する、としてもよい。
【００１２】
こうすることで、キャンセル操作が行われることによって処理を中止した取引についても、画面の遷移を、後から確認することが可能になる。例えば違算障害が発生して原因を追及する際に、キャンセル操作を行った取引における処理の推移も含めて、画面が遷移する動画によって再確認することが可能になる。その結果、ユーザーは、処理を中止した取引を含めて、問題発生の原因等を検証することができる。
【００１３】
前記記憶部が記憶している情報の中から、検索条件に基づいて取引の情報を検索するよう構成された検索部をさらに備えている、としてもよい。
【００１４】
検索部が取引を対象とした検索をすることによって、ユーザーは、記憶部に記憶されている多数の取引の中から、もう一度進行状況を確認したい取引を、容易に探し出すことができる。
【００１５】
前記取引の情報は、前記取引を行った日時情報、前記取引の種別情報、前記取引の金額情報、及び、前記取引において操作を行ったユーザー情報の少なくとも一つを含み、前記検索部は、前記情報の少なくとも一つを前記検索条件として検索を行う、としてもよい。
【００１６】
ユーザーは、これらの検索条件を利用して、記憶部に記憶されている多数の取引の中から、所望の取引を、容易に抽出することが可能になる。
【００１７】
前記再生部は、前記動画の再生時に、早送り、巻き戻し、及び、一時停止のうちの少なくとも一つの機能を提供する、としてもよい。
【００１８】
動画の再生時に、これらの機能を必要に応じて利用することにより、ユーザーは、より一層的確にかつ、より一層効率的に、取引の進行状況を検証することが可能になる。
【００１９】
前記記憶部は、記憶している情報の中から指定された取引の情報に、登録フラグを付加して記憶する、としてもよい。
【００２０】
例えば、手本とすべき処理が行われた取引に登録フラグを付加することが考えられる。また、例えば、熟練したユーザーが操作を行った取引に登録フラグを付加することも考えられる。登録フラグを検索条件の一つに設定すれば、ユーザーは、登録フラグを付加した取引を、容易に抽出することができるようになる。
【００２１】
前記再生部は、前記記憶部から、前記登録フラグが付加されている取引の情報を抽出すると共に、抽出した前記取引における前記画面の遷移を再生する、としてもよい。
【００２２】
前述したように、手本とすべき模範的な操作手順によって処理が行われた取引や、熟練したユーザーが適切な操作手順によって処理を行った取引に登録フラグを付加しておけば、当該取引における画面の遷移を再生することにより、適切な処理の遂行や操作手順を、何回でも確認することが可能になる。例えば経験の浅いユーザーに、画面が遷移する動画を見せることによって、ユーザーの教育に利用することが可能になる。
【００２３】
また、このようにして教育に利用する取引は、例えば金融機関等の現場において、貨幣処理装置を用いて、実際に行われた取引である。架空の取引を想定して行った処理及びその操作手順を、手本として予め準備する場合とは異なり、より一層、現実に即した処理の遂行及び操作手順となるため、教育効果が高まることが期待できる。
【００２４】
前記貨幣処理装置は、前記貨幣処理装置の取扱説明書を前記表示部に表示するよう構成された取説提示部をさらに備え、前記取説提示部は、前記取扱説明書の中に再生操作部を設けると共に、前記再生操作部が操作されたときには、前記登録フラグが付加されている取引における前記画面の遷移を再生する、としてもよい。
【００２５】
取扱説明書に再生操作部を設けることによって、取扱説明書を見ながら、適切に処理が遂行された処理（つまり、登録フラグが付加されている取引）における画面の推移を、動画によって確認することが可能になる。取扱説明書の記載内容に加えて、実際に表示部が表示する画面の推移を動画によって確認することができるため、ユーザーは、理解がしやすくなる。
【００２６】
また、金融機関等において貨幣処理装置を使用しながら、登録フラグを随時、付加することにより、取扱説明書の中で再生可能な動画を追加することが可能になるから、取扱説明書の内容を充実させていくことが可能になる。
【００２７】
前記処理部は、前記処理の実行中に前記表示部が表示する前記画面の中に、前記画面の遷移を記録するための記録操作部を設け、前記記憶部は、前記記録操作部が操作された取引の情報に、再確認フラグを付加して記憶する、としてもよい。
【００２８】
例えば経験の浅いユーザーが、実際に処理を実行している最中に記録操作部を操作すれば、自身が行った操作手順を、記憶部に記憶させることが可能になる。
【００２９】
尚、記憶部は、記録操作部を操作したときに限って、画面の遷移を記憶するのではなく、記録操作部を操作しなくても、画面の遷移を記憶すればよい。この構成において、記録操作部を、敢えて操作する構成とすることにより、経験の浅いユーザーに、自身の操作内容が記憶部に記憶され、後から確認をすることができるという安心感を与えることが可能になる。
【００３０】
前記再生部は、前記記憶部から、前記再確認フラグが付加されている取引を抽出すると共に、抽出した前記取引における前記画面の遷移を再生する、としてもよい。
【００３１】
再生部は、記録操作部が操作された取引を抽出して、当該取引における画面の遷移を動画として再生することができる。前述したように、経験の浅いユーザーの操作手順を、動画を見ながら、例えばベテランのユーザーと共に、後から検証することが可能になる。
【００３２】
ここに開示する技術はまた、貨幣処理システムに係る。貨幣処理システムは、取引に関係する貨幣の処理を行うよう構成された貨幣処理装置の処理部と、前記処理の実行中に、前記処理に関係する画面を順次表示するよう構成された前記貨幣処理装置の表示部と、前記取引の情報と、前記処理の実行中に前記表示部が表示をした前記画面に関する情報とを対応付けて記憶するよう構成された記憶部と、前記記憶部が記憶している情報の中から選択された取引について、当該取引における前記処理の実行中に前記表示部が表示した前記画面の遷移を、前記画面に関する情報に基づき、前記貨幣処理装置の前記表示部、又は、他の表示部に動画として表示するよう構成された再生部と、を備えている。
【００３３】
この構成によって、取引における処理の実行中に処理の進行に伴って変化する画面の遷移を、貨幣処理装置の表示部、又は、他の表示部（例えば、ＰＣ、スマートフォン、又は、タブレット端末等の表示部）において、後から動画によって確認することができる。
【発明の効果】
【００３４】
以上説明したように、前記の貨幣処理装置及び貨幣処理システムによると、処理の実行中に表示部が表示した画面の遷移を、後から動画によって確認することができる。
【図面の簡単な説明】
【００３５】
【図１】図１は、貨幣処理装置の外観を示す斜視図である。
【図２】図２は、貨幣処理装置を含む貨幣処理システムの構成を示すブロック図である。
【図３】図３は、記憶部が記憶をする、取引の情報及び画面に関する情報の構成を概念的に示す図である。
【図４】図４は、貨幣処理装置の処理中に表示操作部が表示する画面の一例である。
【図５】図５は、表示操作部が表示するメニュー画面の一例である。
【図６】図６は、表示操作部が表示する、検索条件を指定する画面の一例である。
【図７】図７は、表示操作部が表示する、検索条件を指定する画面の一例である。
【図８】図８は、表示操作部が表示する、検索結果を示す画面の一例である。
【図９】図９は、表示操作部が表示する、取引の情報の詳細を示す画面の一例である。
【図１０】図１０は、表示操作部が表示する、画面の遷移の動画を再生する画面の一例である。
【図１１】図１１は、表示操作部が表示する、検索条件を指定する画面の一例である。
【図１２】図１２は、表示操作部が表示する、取引の情報の詳細を示す画面の一例である。
【図１３】図１３は、表示操作部が表示する、取扱説明書の内容を示す画面の一例である。
【図１４】図１４は、表示操作部が表示する、画面の遷移の動画を再生する画面の一例である。
【図１５】図１５は、貨幣処理装置の処理中に表示操作部が表示する画面の一例である。
【図１６】図１６は、表示操作部が表示する、検索結果を示す画面の一例である。
【図１７】図１７は、表示操作部が表示する、画面の遷移の動画を再生する画面の一例である。
【図１８】図１８は、貨幣処理システムの構成を示すブロック図である。
【図１９】図１９は、図１とは異なる構成の、貨幣処理装置の外観を示す斜視図である。
【発明を実施するための形態】
【００３６】
以下、貨幣処理装置及び貨幣処理システムの実施形態を図面に基づいて詳細に説明する。以下の説明は、貨幣処理装置及び貨幣処理システムの一例である。図１は、貨幣処理装置１の外観を示している。貨幣処理装置１は、例えば銀行等の金融機関に設置されかつ、入金処理及び出金処理を含む各種の処理を実行する出納機である。尚、貨幣処理装置１は、金融機関に設置することには限定されない。
【００３７】
貨幣処理装置１は、バラ硬貨処理ユニット２１と、包装硬貨処理ユニット２２と、バラ紙幣処理ユニット２３と、束紙幣処理ユニット２４と、を備えている。貨幣処理装置１はまた、タッチパネルによって構成された表示操作部３１と、プリンタ３２とを備えている。
【００３８】
バラ硬貨処理ユニット２１は、貨幣処理装置１の中央側に配設されている。バラ硬貨処理ユニット２１は、詳細な図示は省略するが、バラ硬貨を収納する複数の収納部を有している。バラ硬貨処理ユニット２１は、金融機関等における取引に関係して、機内に取り込んだバラ硬貨を複数の収納部に収納したり、複数の収納部から繰り出したバラ硬貨を機外に払い出したりする処理を行うよう構成されている。
【００３９】
バラ硬貨処理ユニット２１は、その上部に、入金されるバラ硬貨が投入される入金口２１１を有している。バラ硬貨処理ユニット２１はまた、その前面に、リジェクト硬貨を返却するための入金リジェクト口２１２と、入金処理の途中に処理がキャンセルされたバラ硬貨を返却するための返却箱２１３と、出金されるバラ硬貨が払い出される出金箱２１４と、取り付けられた硬貨袋（図示省略）内にバラ硬貨を出金するための袋取シュート部２１５と、収納部に収納することができないバラ硬貨を収納するバラ一括箱２１６と、が設けられている。
【００４０】
包装硬貨処理ユニット２２は、装置の正面に向かって、バラ硬貨処理ユニット２１の右隣に配設されている。包装硬貨処理ユニット２２は、詳細な図示は省略するが、包装硬貨を収納する複数の収納部を有している。また、バラ硬貨処理ユニット２１と内部においてつながっており、バラ硬貨処理ユニット２１から搬送されたバラ硬貨から包装硬貨を作成するよう構成されている。包装硬貨処理ユニット２２は、金融機関等が行う取引に関係して、包装硬貨を収納部に収納したり、収納部から繰り出した包装硬貨を機外に払い出したりする処理を行うよう構成されている。
【００４１】
包装硬貨処理ユニット２２は、その前面に、出金される包装硬貨が払い出される包装硬貨出金口２２１と、大量の包装硬貨を一括回収するための包装硬貨一括箱２２２と、包装硬貨を機外へ投出するための機外投出口２２３とが設けられている。
【００４２】
バラ紙幣処理ユニット２３は、装置の正面に向かって、バラ硬貨処理ユニット２１の左隣に配設されている。バラ紙幣処理ユニット２３は、詳細な図示は省略するが、バラ紙幣を収納する複数の収納部を有している。バラ紙幣処理ユニット２３は、金融機関等が行う取引に関係して、機内に取り込んだバラ紙幣を複数の収納部に収納したり、複数の収納部から繰り出したバラ紙幣を機外に払い出したりする処理を行うよう構成されている。
【００４３】
バラ紙幣処理ユニット２３は、その前面に、入金されるバラ紙幣が投入される入金口２３１と、出金されるバラ紙幣が払い出されると共に、リジェクト紙幣を返却するための、入金リジェクト口兼出金口２３２とが設けられている。
【００４４】
束紙幣処理ユニット２４は、バラ紙幣処理ユニット２３の上に配設されている。束紙幣処理ユニット２４は、束紙幣を収納する複数の収納部を有している。また、バラ紙幣処理ユニット２３と内部においてつながっており、バラ紙幣処理ユニット２３から搬送されたバラ紙幣から束紙幣を作成するよう構成されている。束紙幣処理ユニット２４は、金融機関等が行う取引に関係して、束紙幣を収納部に収納したり、収納部から繰り出した束紙幣を機外に払い出したりする処理を行うよう構成されている。
【００４５】
束紙幣処理ユニット２４は、その前面に、出金される束紙幣が払い出される束紙幣払出部２４１が設けられている。
【００４６】
プリンタ３２は、バラ硬貨処理ユニット２１の上部に取り付けられている。プリンタ３２は、伝票等の印刷を行う。表示操作部３１は、包装硬貨処理ユニット２２の上部に取り付けられている。表示操作部３１は、画面を表示すると共に、その画面内においてユーザーの操作を受け付ける。
【００４７】
図２は、貨幣処理装置１を含む貨幣処理システム１０の構成を示すブロック図である。貨幣処理システム１０は、貨幣処理装置１と、貨幣処理装置１に接続される管理コンピュータ６と、管理コンピュータ６と有線又は無線により通信可能な外部機器７１、７２、７３を含んで構成されている。
【００４８】
貨幣処理装置１は、制御部４を備えている。制御部４には、前述した、バラ硬貨処理ユニット２１、包装硬貨処理ユニット２２、バラ紙幣処理ユニット２３、束紙幣処理ユニット２４、表示操作部３１、及びプリンタ３２が、それぞれ信号の授受可能に接続されている。
【００４９】
貨幣処理装置１は、各種のデータ等を記憶する記憶部５１を備えている。記憶部５１は、後述するように、貨幣処理装置１が行った取引の情報を記憶している。記憶部５１は、制御部４に対して、信号の授受可能に接続されている。
【００５０】
貨幣処理装置１はまた、管理コンピュータ６との間において通信を行うための通信部５２を有している。通信部５２は、制御部４に対して、信号の授受可能に接続されている。
【００５１】
管理コンピュータ６は、貨幣処理装置１の管理を行うよう構成されている。貨幣処理装置１は、取引に関する情報を、管理コンピュータ６に出力する。管理コンピュータ６には、例えばＰＣ７１、タブレット端末７２、及びスマートフォン７３等によって構成される外部機器が通信可能に接続される。ＰＣ７１、タブレット端末７２、及びスマートフォン７３はそれぞれ、表示部７１１、７２１、７３１と操作部とを有している。ユーザーは、管理コンピュータ６に接続したＰＣ７１、タブレット端末７２及びスマートフォン７３を利用して、その表示部７１１、７２１、７３１に、貨幣処理装置１に関する各種の情報を表示したり、ＰＣ７１、タブレット端末７２及びスマートフォン７３の操作を通じて、貨幣処理装置１に対する各種の指示を入力したり、することが可能である。また、タブレット端末７２やスマートフォン７３が、貨幣処理装置１の通信部５２と直接通信できる構成としてもよい。
【００５２】
制御部４は、処理部４１、検索部４２、再生部４３及び取説提示部４４を含んでいる。処理部４１、検索部４２、再生部４３及び取説提示部４４はそれぞれ、所定の機能を実現する制御部４の機能ブロックである。
【００５３】
以下、図４〜図１７に示す、貨幣処理装置１の表示操作部３１が表示する画面の例を参照しながら、これらの機能ブロックが実現する機能の詳細について、順に説明をする。
【００５４】
処理部４１は、貨幣処理装置１において、取引に関係する貨幣の処理を実行する機能を有している。具体的に処理部４１は、ユーザーが表示操作部３１を操作したときに、バラ硬貨処理ユニット２１、包装硬貨処理ユニット２２、バラ紙幣処理ユニット２３、束紙幣処理ユニット２４、表示操作部３１、プリンタ３２、記憶部５１、及び通信部５２を制御し、取引に関係する貨幣の処理を行う。
【００５５】
例えば図４は、貨幣処理装置１が入金取引に係る処理を実行しているときに、表示操作部３１が表示する画面を例示している。図示は省略するが、処理部４１は、処理の実行中に、表示操作部３１が表示する画面を、処理の進行に伴って、順次、変更させる。具体的に処理部４１は、表示操作部３１に対し、表示すべき画面に関する指令を出力し、表示操作部３１は、当該指令を受けて指定された画面を、表示する。
【００５６】
記憶部５１は、取引に係る処理を実行している最中に表示操作部３１が表示をする画面の遷移を、取引の情報と対応付けて記憶する（つまり、画面ログ情報）。画面ログ情報は、複数の画面そのものによって構成してもよいし、特許文献１（特開２０１４−１２３２８５号公報）に記載されているように、処理部４１が、表示操作部３１に出力した指令と、指令を出力した日時とを含むデータによって構成してもよい。
【００５７】
処理部４１はまた、取引に関係する貨幣の処理が終了すれば、記憶部５１に、取引の情報、及び、前述した画面ログ情報を記憶させる。
【００５８】
図３は、記憶部５１が記憶する、取引の情報の内容を概念的に示している。取引の情報には、以下の項目が含まれる。
【００５９】
つまり、１）貨幣処理装置１が行った取引の通し番号である「取引Ｎｏ．」、２）取引を行った「処理日時」、３）貨幣処理装置１の操作を行ったユーザーを特定する「操作者ＩＤ」、４）入金取引や、出金取引といった取引の内容である「処理内容」、５）取引に係る金額（合計金額や、金種別金額や、伝票金額等）である「金額情報」、６）取引に係る「口座番号」、７）取引の「科目」（普通、当座、定期、為替、融資等の科目の他、処理を行った窓口の特定や、オンライン連携処理であるか否か等を含む場合がある）、８）取引の処理を行ったときに、紙幣（例えば損券）等のイメージの読み取りを行ったか否かの「イメージ読み取り」、９）イメージ読み取りを行った場合は、記憶しているイメージを特定するための「イメージ番号」、１０）取引に係る処理が正常終了したか、異常が発生をして終了したか、又は、キャンセル操作が行われることによって処理を中止したかを示す「正常終了／異常終了／キャンセル」、１１）処理中にエラーが発生したか否かの「処理中エラー」、１２）処理中にユーザーが、金額等の手入力を行ったか否かの「手入力」、１３）貨幣処理装置１に貨幣が入金されたか否かの「機械入金」、１４）貨幣処理装置１から貨幣が出金されたか否かの「機械出金」、１５）伝票が削除されたか否かの「伝票削除」、及び、１６）前述したように、取引に係る処理の実行中に、貨幣処理装置１の表示操作部３１に表示された画面に関する情報である「画面ログ情報」である。尚、図３では、「画面ログ情報」は、記憶している画面ログ情報を特定するための番号を示している。
【００６０】
記憶部５１はまた、図３に示すように、記憶している取引の情報に「登録フラグ」及び／又は「再確認フラグ」を付加する場合がある。「登録フラグ」及び「再確認フラグ」についての詳細は、後述する。
【００６１】
記憶部５１は、取引が行われる毎に、図３に示す取引の情報と、画面に関する画面ログ情報とを対応付けて、記憶する。図３に示すように、記憶部５１が記憶する取引の情報には、正常に処理が終了した取引、及び、異常の発生によって処理が終了した取引だけでなく、キャンセル操作が行われることによって処理を中止した取引も含まれる。
【００６２】
検索部４２は、記憶部５１が記憶している取引の情報を検索する機能を有している。検索部４２は、前述した取引の情報である、１）〜１５）の項目の内の少なくとも一つを検索条件として取引の検索を実行する。以下、図５〜図９を参照しながら、検索手順を説明する。
【００６３】
図５は、表示操作部３１が表示するメニュー画面Ｓ２を例示している。ユーザーが、メニュー画面Ｓ２の中の、「照会」ボタンを選択操作したときに、検索部４２は、過去の取引の情報を検索する。ユーザーは、過去の取引の情報の詳細を確認することができる。
【００６４】
図６及び図７はそれぞれ、メニュー画面Ｓ２において「照会」ボタンが選択されたときに、表示操作部３１が表示する検索条件設定画面Ｓ３及びＳ４を例示している。検索条件設定画面Ｓ３には、前述したように、取引の情報における１）〜７）の項目が含まれている。ユーザーは、検索条件設定画面Ｓ３において、いずれかの項目を選択すると、当該項目の条件を設定することができる。例えば図６の検索条件設定画面Ｓ３は、４）処理内容として、「入金」取引を検索条件として設定した例を示している。検索条件設定画面Ｓ４には、取引の情報における８）〜１５）の項目が含まれている。ユーザーは、検索条件設定画面Ｓ４においても同様に、いずれかの項目を選択すると、当該項目の条件を設定することができる。
【００６５】
尚、これら複数の項目を含む検索条件は、アンド条件とすることも可能であるし、オア条件とすることも可能である。
【００６６】
検索条件設定画面Ｓ３及びＳ４において検索条件が設定されると共に、ユーザーが、当該検索条件設定画面Ｓ３及びＳ４内に設けられた「検索」ボタン１０１を選択操作したときに、検索部４２は、設定された検索条件に基づいて、記憶部５１が記憶している取引の情報の検索を行う。
【００６７】
図８は、検索結果を表示する検索結果画面Ｓ５を例示している。検索結果画面Ｓ５には、記憶部５１に記憶されている多数の取引の情報の中から、検索条件に従って抽出した取引の情報（ここでは２件）が、一覧表示される。
【００６８】
ユーザーは、検索結果画面Ｓ５に含まれる取引の情報の中から、いずれかの取引を選択操作することが可能である。検索結果画面Ｓ５において、ユーザーが所望の取引の情報を選択すれば、表示操作部３１は、図９に例示する詳細画面Ｓ６を表示する。詳細画面Ｓ６には、選択された取引の情報の詳細が表示される。ユーザーは、詳細画面Ｓ６を見ることによって、当該取引の詳細な情報を確認することができる。
【００６９】
（画面の遷移の動画再生機能）
詳細画面Ｓ６には、「再生」ボタン１０２が含まれている。ユーザーが「再生」ボタン１０２を選択操作すると、再生部４３は、当該取引に係る処理の実行中に、表示操作部３１が表示をした画面の遷移を、動画として表示操作部３１に表示させる。
【００７０】
図１０は、動画再生画面Ｓ７を例示している。再生部４３は、記憶部５１に記憶されている「画面ログ情報」に基づいて、表示操作部３１に画面に関する指令を出力し、表示操作部３１は、当該指令を受けて指定された画面を、表示する。「画面ログ情報」として、処理部４１が表示操作部３１に出力した指令と、指令を出力した日時とを含む情報が、記憶部５１に記憶されているときには、再生部４３は、指令を出力した日時に対応する時間経過に従って、画面を表示する指令を表示操作部３１に出力する。これにより、表示操作部３１は、当該取引に係る処理の実行中に表示操作部３１が表示をした画面の遷移を、実際の時間の経過に即して、表示することができる。
【００７１】
動画再生画面Ｓ７には、再生ボタン１０３、早送りボタン１０４、巻き戻しボタン１０５、及び停止ボタン１０６が設けられている。ユーザーは、これらのボタンを選択操作することによって、画面の遷移に係る動画の再生、早送り、巻き戻し、及び停止を行うことができる。また、図１０においては図示を省略するが、動画の再生中は、動画再生画面Ｓ７に、再生ボタン１０３に代わって一時停止ボタンが設けられる。ユーザーは、一時停止ボタンを選択操作すれば、動画を一時停止させることができる。このように再生部４３は、動画の再生時に、早送り、巻き戻し、及び一時停止の各機能を、ユーザーに提供する。
【００７２】
この貨幣処理装置１では、ユーザーは、取引に関係する処理の実行中に表示操作部３１が表示した画面の推移を、後から動画によって確認をすることができる。処理の進行に伴って変化する画面の遷移が、動画によって表示されるため、ユーザーは、処理の進行状況を把握し易い。
【００７３】
ここで、画面の推移を示す動画を再生可能な処理（又は取引）は、正常に処理が終了した取引、及び、異常の発生によって処理が終了した取引だけでなく、キャンセル操作が行われることによって処理を中止した取引も含まれる。
【００７４】
例えば図９の詳細画面Ｓ６は、キャンセル操作が行われることによって処理を中止した取引に相当する。処理を中止したため、取引の詳細についての情報はない。このような取引の詳細な情報が記憶されていない取引についても、ユーザーが「再生」ボタン１０２を選択操作することによって、図１０に示すように、処理の実行中に表示操作部３１が表示した画面の推移が、動画によって表示操作部３１に表示される。例えば図１０の動画再生画面Ｓ７は、処理中の画面において、入金伝票の金額と、入金枚数合計とが相違していることを示している。
【００７５】
このように、この貨幣処理装置１では、例えば違算障害が発生して原因を追及する際に、キャンセル操作を行った取引における処理の推移も含めて、実時間において画面が遷移する動画によって再確認することが可能になる。その結果、ユーザーは、処理を中止した取引を含めて、問題発生の原因等を、後から検証することが可能になる。
【００７６】
また、貨幣処理装置１は、記憶部５１が記憶している情報の中から、取引の情報を検索する検索部４２を有している。ユーザーは、取引の情報に関する複数の項目からなる検索条件を設定することによって、多数の取引の中から、もう一度進行状況を確認したい取引を、容易に探し出すことができる。
【００７７】
さらに、再生部４３は、動画の再生時に、早送り、巻き戻し、及び一時停止の各機能を、ユーザーに提供するため、ユーザーは、取引の進行状況を、より一層的確にかつ、より一層効率的に、検証することが可能になる。
【００７８】
（取引の情報の登録機能）
貨幣処理装置１は、過去に行った処理の最中に表示操作部３１が表示をした画面の遷移を、動画として後からユーザーに見せることができる。ここで、貨幣処理装置１を利用した処理に関し、手本とすべき模範的な操作手順によって処理が行われた取引や、熟練したユーザーが適切な操作手順によって処理を行った取引における画面の遷移に係る動画は、例えば経験の浅いユーザーの教育に利用することが可能である。
【００７９】
そこで、この貨幣処理装置１では、記憶部が記憶している情報に対し、ユーザーが、登録フラグを付加することが可能に構成されている。以下、登録フラグの付加手順について、図を参照しながら説明をする。
【００８０】
図１１は、前述した検索結果画面Ｓ８を例示している。図１１に示す検索結果は、担当者名を検索条件に設定することによって、特定のユーザー、つまり、熟練したユーザーが操作を行った取引の検索結果である。
【００８１】
図１２は、図１１の検索結果画面Ｓ８において所望の取引を選択したときに、表示操作部３１が表示する詳細画面Ｓ９を例示している。この詳細画面Ｓ９には、前述した「再生」ボタン１０２の他に、「登録」ボタン１０７が設けられている。詳細画面Ｓ９に表示されている取引が、模範的な操作手順によって処理が行われた取引等であって、登録すべき取引であるときには、ユーザーは「登録」ボタン１０７を選択操作する。このことによって、記憶部５１は、当該取引の情報に、「登録フラグ」を付加する（図３参照）。
【００８２】
登録フラグは、検索条件の一つとして設定されており、検索部４２は、記憶部５１が記憶している多数の取引の中から、登録フラグが付加された取引を抽出することが可能である。このようにして、登録フラグを付加することにより、模範的な操作手順を、何回でも動画で再生することができるため、ユーザーの教育に利用することが可能になる。
【００８３】
特に、登録フラグを付加する取引は、金融機関等の現場において、貨幣処理装置１を用いて、実際に行われた取引における操作手順である。架空の取引を想定して行った処理及びその操作手順を、手本として予め準備する場合とは異なり、より一層、現実に即した処理の遂行及び操作手順となるため、教育効果が高まることが期待できる。
【００８４】
ここで、貨幣処理装置１の取説提示部４４は、表示操作部３１に、貨幣処理装置１の取扱説明書（つまり、電子説明書）を表示する機能を有している。任意の画面には、「取扱説明書」ボタン１０８が設けられている（図４等参照）。ユーザーが、「取扱説明書」ボタン１０８を選択操作すると、取説提示部４４は、取扱説明書に係る画面を表示するよう、表示操作部３１に指令する。指令を受けた表示操作部３１は、例えば図１３に示すような、取扱説明書の提示画面Ｓ１０を表示する。
【００８５】
前述した「登録」ボタン１０７が選択操作されたときに、登録フラグを付加するだけでなく、当該取引に係る画面の遷移の動画を、取扱説明書内の任意の位置に設けられるリンクに登録するようにしてもよい。
【００８６】
取扱説明書の提示画面Ｓ１０には、一般的な取扱説明書と同様に、貨幣処理装置１の機能に関する説明、及び、操作手順に関する説明が記載されている。この貨幣処理装置１の取扱説明書の提示画面Ｓ１０には、「登録」ボタン１０７を選択操作することに伴い、再生操作部としての「再生」ボタン１０９が設けられる。
【００８７】
ユーザーが「再生」ボタン１０９を選択操作すれば、そのリンクに登録されている取引（つまり、登録フラグが付加された取引）中の、実際の画面の遷移が、図１４に示すように、動画再生画面Ｓ１１において動画として表示される。この動画再生画面Ｓ１１にも、図１０に示す動画再生画面Ｓ７と同様に、早送りボタン１０４、巻き戻しボタン１０５、及び停止ボタン１０６が設けられている。図１４の例では、再生ボタン１０３に代えて、一時停止ボタン１１０が、動画再生画面Ｓ１１に設けられている。
【００８８】
取扱説明書に、画面遷移の動画を再生する「再生」ボタン１０９を設けることによって、ユーザーは、取扱説明書の内容に即した実際の画面の遷移を、確認することが可能になる。ユーザーは、取扱説明書の内容をより一層理解しやすくなる。前述したように、記憶部５１が記憶している取引の情報は、金融機関等の現場において、貨幣処理装置１を用いて、実際に行われた取引であるため、現実に即した処理の遂行及び操作手順を、取扱説明書を見ながら確認することができる。
【００８９】
また、ユーザーが「登録」ボタン１０７を選択操作することによって、取扱説明書の動画再生用のリンクに動画が登録されることにより、金融機関等において貨幣処理装置１を使用しながら、取扱説明書の内容を充実させることが可能になる。
【００９０】
（再確認フラグの登録機能）
前述したように、画面ログ情報は、正常に処理が終了した取引、異常の発生によって処理が終了した取引、及び、キャンセル操作が行われることによって処理を中止した取引を含む、全ての取引について自動的に、記憶部５１に記憶される。ユーザーは、画面ログ情報を記憶するための操作を、改めて行う必要がない。
【００９１】
ここで、経験の浅いユーザーは、例えばエラー復旧処理等を含むような特殊な操作を行ったときには、自身が行った操作手順が正しいか否かについて不安を感じる場合がある。そこで、貨幣処理装置１が処理を実行しているときに表示操作部３１が表示する画面に、ユーザーが、画面ログ情報を記憶することを選択するための「録画」ボタン１１１を設けてもよい。ユーザーは、自身が行っている操作が画面ログ情報として記憶されていることを意識することができ、その操作手順を後から確認をすることが可能であることを認識することができるため、ユーザーは、安心感を覚えることができる。
【００９２】
具体的に、図１５は、貨幣処理装置１の処理中に表示操作部３１が表示する、エラー解除ためのガイダンス画面Ｓ１２を例示している。ユーザーは、貨幣処理装置１の処理中に、ジャム等のエラーが発生したときには、ガイダンス画面Ｓ１２に従って操作をすることにより、貨幣処理装置１のエラー解除を行う。図１５に示すガイダンス画面Ｓ１５には、記録操作部としての「録画」ボタン１１１が設けられている。ユーザーが「録画」ボタン１１１を選択操作すると、記憶部５１は、取引の情報に再確認フラグを付加して記憶する（図３参照）。尚、前述の通り、「録画」ボタン１１１が選択操作されなくても、記憶部５１は、取引の情報と、画面ログ情報とを記憶する。但し、「録画」ボタン１１１が選択操作されないときには、記憶部５１は、再確認フラグを付加しない。
【００９３】
図１６に示す検索結果画面Ｓ１３には、担当者名を検索条件に設定し検索を行った結果が、一覧によって表示されている。検索部４２は、検索結果画面Ｓ１３において、再確認フラグが付加されている取引と、再確認フラグが付加されていない取引とを区別して表示している。具体的に図例では、再確認フラグが付加されている取引に星印が付加されている。
【００９４】
ユーザーが、検索結果画面Ｓ１３において再確認フラグが付加されている取引を選択し、図示を省略する詳細画面において「再生」ボタンを選択操作すれば、図１７に示すように、動画再生画面Ｓ１４において、画面の遷移を示す動画が再生される。この動画再生画面Ｓ１４にも、早送りボタン１０４、巻き戻しボタン１０５、停止ボタン１０６、及び一時停止ボタン１１０が設けられ、早送り、巻き戻し、及び一時停止の各機能が、ユーザーに提供される。
【００９５】
尚、再確認フラグは、検索条件の一つに設定してもよい。そうすれば、検索部４２は、再確認フラグを付加された取引の情報を検索することができる。ユーザーは、再確認フラグを付加した取引を、記憶部５１が記憶している多数の取引の中から、容易に抽出することができる。
【００９６】
このように「録画」ボタン１１１を画面に設け、「録画」ボタン１１１が選択操作されたときには、記憶部５１が、取引の情報に再確認フラグを付加することによって、例えば経験の浅いユーザーの操作手順を、動画を見ながら、ベテランのユーザーと共に、後から検証することが可能になる。
【００９７】
（他の構成例）
前述した構成では、ユーザーは、貨幣処理装置１の表示操作部３１を操作することによって、過去の取引中に、表示操作部３１が表示をした画面の遷移を、当該表示操作部３１に動画として表示することが可能である。
【００９８】
貨幣処理装置１の表示操作部３１に表示することに限らず、図２に示す貨幣処理システム１０において、ユーザーが、ＰＣ７１、タブレット端末７２、又は、スマートフォン７３を操作することによって、貨幣処理装置１の表示操作部３１が表示をした画面の推移を、これら外部機器の表示部７１１、７２１、７３１に、動画として表示するように構成してもよい。
【００９９】
また、図１８は、複数の貨幣処理装置１１、１２を含む貨幣処理システム１００の構成を例示している。このシステム１００では、第１の貨幣処理装置１１、及び、第２の貨幣処理装置１２が、通信回線１３を介して、管理コンピュータ６に接続されている。各貨幣処理装置１１、１２の構成は、例えば図２に示す構成と同じとすればよい。
【０１００】
このシステム１００において、第１の貨幣処理装置１１の表示操作部３１を操作することによって、当該第１の貨幣処理装置１１の記憶部に記憶している取引の情報を抽出して、取引中の画面の遷移を、当該第１の貨幣処理装置１１の表示操作部３１に動画として表示するようにしてもよい。同様に、第２の貨幣処理装置１２の表示操作部３１を操作することによって、当該第２の貨幣処理装置１２の記憶部に記憶している取引の情報を抽出して、取引中の画面の推移を、当該第２の貨幣処理装置１２の表示操作部３１に動画を表示するようにしてもよい。
【０１０１】
また、第１の貨幣処理装置１１の表示操作部３１を操作することによって、第２の貨幣処理装置１２の記憶部に記憶している取引の情報を抽出して、取引中の画面の遷移を、第１の貨幣処理装置１１の表示操作部３１に動画として表示するようにしてもよい。同様に、第２の貨幣処理装置１２の表示操作部３１を操作することによって、第１の貨幣処理装置１１の記憶部に記憶している取引の情報を抽出して、取引中の画面の推移を、第２の貨幣処理装置１２の表示操作部３１に動画として表示するようにしてもよい。
【０１０２】
さらに、管理コンピュータ６に接続された、ＰＣ７１、タブレット端末７２、又は、スマートフォン７３をユーザーが操作することによって、第１の貨幣処理装置１１が記憶している取引の情報、及び／又は、第２の貨幣処理装置１２が記憶している取引の情報を抽出し、取引中の画面の推移を、これら外部機器の表示部７１１、７２１、７３１に、動画として表示してもよい。
【０１０３】
また、図示は省略するが、例えば金融機関の支店と本店（本部）との間で通信が可能に構成されたシステムにおいて、支店に設置されている貨幣処理装置が記憶している取引の情報を、本店に設置されている貨幣処理装置又は管理コンピュータをユーザーが操作することによって抽出し、取引中の画面の推移を、本店の貨幣処理装置等の表示部に、動画として表示してもよい。
【０１０４】
図１９は、図１とは異なる構成の貨幣処理装置１０００を示している。貨幣処理装置１０００は、第１の表示操作部３１１と、第２の表示操作部３１２との２つの表示操作部を備えている。この貨幣処理装置１０００では、ユーザーが、第１の表示操作部３１１及び第２の表示操作部３１２のいずれか一方の操作表示部を操作することによって、貨幣処理装置１０００における各種の処理を実行しながら、別のユーザーが、他方の操作表示部を操作することによって、前述したように、記憶部が記憶している取引の情報を抽出し、取引中の画面の遷移を、当該操作表示部に動画として表示可能に構成してもよい。
【０１０５】
尚、前述した、登録フラグの付加は、所定のユーザーに制限してもよい。例えば、「登録」ボタン１０７の操作は、所定の役職以上のユーザーに限るようにしてもよい。貨幣処理装置は、所定の役職以上でないユーザーが「登録」ボタン１０７を操作したときに、当該操作を無効にしてもよい。また、貨幣処理装置は、所定の役職以上のユーザーが貨幣処理装置を操作しているときのみ、「登録」ボタン１０７を、表示部に表示するようにしてもよい。
【０１０６】
また、前述した、再確認フラグの付加は、経験の浅い所定のユーザーに限定してもよい。貨幣処理装置は、経験の浅い所定のユーザー以外のユーザーが「録画」ボタン１１１を操作したときに、当該操作を無効にしてもよい。また、貨幣処理装置は、経験の浅い所定のユーザーが貨幣処理装置を操作しているときのみ、「録画」ボタン１１１を、表示部に表示するようにしてもよい。
【０１０７】
さらに、再確認フラグが付加されている取引の動画再生は、ベテランのユーザー（例えば所定の役職以上のユーザー）に制限してもよい。例えばベテランのユーザーが、貨幣処理装置の操作をしているときのみ、図１６に示すように、再確認フラグが付加されている取引と、再確認フラグが付加されていない取引とを区別して表示してもよい。また、ベテランのユーザーが、貨幣処理装置の操作をしているときのみ、再確認フラグが付加されている取引の「再生」ボタンの操作を有効にしてもよいし、ベテランのユーザーが、貨幣処理装置の操作をしているときのみ、「再生」ボタンを表示するようにしてもよい。
【０１０８】
尚、ここに開示する技術は、紙幣及び硬貨の両方を処理する貨幣処理装置に適用することに限らない。紙幣を処理する紙幣処理装置、又は、硬貨を処理する硬貨処理装置に、ここに開示する技術を適用することも可能である。また、バラ紙幣処理装置、又は、束紙幣処理装置に、ここに開示する技術を適用してもよいし、バラ硬貨処理装置、又は、包装硬貨処理装置に、ここに開示する技術を適用してもよい。
【０１０９】
さらに、ここに開示する技術が適用可能な処理装置は、入金処理及び出金処理の両方を行う装置に限らず、貨幣入金機、又は、貨幣出金機に適用してよい。
【０１１０】
加えて、ここに開示する技術が適用可能な処理装置の用途に特に制限はない。
【符号の説明】
【０１１１】
１  貨幣処理装置
１０  貨幣処理システム
１１  貨幣処理装置
１２  貨幣処理装置
１００  貨幣処理システム
１０００  貨幣処理装置
１０９  再生ボタン（再生操作部）
１１１  録画ボタン（記録操作部）
３１  表示操作部（表示部）
４１  処理部
４２  検索部
４３  再生部
４４  取説提示部
５１  記憶部
７１１  表示部（他の表示部）
７２１  表示部（他の表示部）
７３１  表示部（他の表示部）
【図１】
2018036858.tif 000003
【図２】
2018036858.tif 000004
【図３】
2018036858.tif 000005
【図４】
2018036858.tif 000006
【図５】
2018036858.tif 000007
【図６】
2018036858.tif 000008
【図７】
2018036858.tif 000009
【図８】
2018036858.tif 000010
【図９】
2018036858.tif 000011
【図１０】
2018036858.tif 000012
【図１１】
2018036858.tif 000013
【図１２】
2018036858.tif 000014
【図１３】
2018036858.tif 000015
【図１４】
2018036858.tif 000016
【図１５】
2018036858.tif 000017
【図１６】
2018036858.tif 000018
【図１７】
2018036858.tif 000019
【図１８】
2018036858.tif 000020
【図１９】
2018036858.tif 000021